(57)【要約】【課題】  作業効率の良さを確保しつつ、連結コイルを用いずに側網を胴網に固定すること。【解決手段】  胴網１１の波状線端部にリング３０を設ける一方、パネル状に成形した側網の枠線Ｍを、胴網端部の波状線交差部５０とリング３０との間に挟み込み、当該リング３０に側網固定用の骨線を挿通６０する。骨線６０を挿通させるまでは、波状線交差部５０とリング３０との間は解放状態にあり、側網の枠線Ｍを波状線端部に挟み込むことが出来る一方で、端部のリング３０に骨線６０を挿通させると当該部分が閉塞され、側網の枠線Ｍは、挟み込まれた状態で動きを拘束される。【選択図】    図１
2005036521.tif 000002
【特許請求の範囲】
【請求項１】
胴網の波状線端部にリングを設ける一方、
パネル状に成形した側網の枠線を、胴網端部の波状線交差部と前記リングとの間に挟み込み、当該リングに側網固定用の骨線を挿通することを特徴とするフトン篭の側網固定構造。
【請求項２】
波状線端部に設けるリングは、波状線の端部をカール加工して成形することを特徴とする請求項１記載のフトン篭の側網固定構造。
【発明の詳細な説明】
【技術分野】
【０００１】
本発明は、各種の土木工事に用いるフトン篭の側網の固定構造に係り、とくに側網固定用のコイルを使用せずに側網を固定するための技術に関する。
【背景技術】
【０００２】
河川の堤防法面、海洋に構築する潜堤、谷地の土留工事等の各種工事に用いるフトン篭は、図７に示すように、前面１、背面２、側網３、４、底面５、上蓋６の各面に配する金網を、縦の骨線７と横の骨線８を用いて組み立てる。
【０００３】
フトン篭は、各パネル１〜６を一枚のパネルユニットとして成形しておき現場において組み立てる場合もあるが、前面１、背面２、底面５、上蓋６の各パネル部分をヒンジ（例えば共通骨線）を介して展開収納可能に一体化させて胴網とし、この胴網（１、２、５、６）に、枠線を用いて予めパネル化した側網３、４を取り付けることが多い。
【０００４】
側網３、４の取り付け方法は、二つある。ひとつは、胴網（１、２、５、６）の波状線端部に設けた巻き付け代を、側網３、４の枠線に現場で巻き付ける方法であり、他の方法は、胴網（１、２、５、６）の縦横の骨線と、側網の枠線とをコイルＣによって拘束する方法である。図７は、コイルＣを用いてフトン篭を作る場合を例示してある。
【０００５】
フトン篭を構成する各パネルをコイルＣによって連結する構造としては、従来、例えば、特開平０５−１７９６２８号、特開平１１−２９３６４４号、特開平１１−３１５５２４号などにおいて提案されている。コイルＣを用いると、隣接する枠線（骨線）同士を一括して簡単に拘束できるため、組み立てが非常に容易になるという利点がある。なお、胴網（１、２、５、６）の巻き付け代を、側網３、４の枠線に巻き付ける方法は、熟練を要する上、品質にばらつきがでやすいという難点があり、近時は、コイルＣの利用が一般的となっている。
【０００６】
胴網の骨線と側網の枠線とをコイルを介して連結し、側網を胴網に固定する構造は、それ以前の方式である現場での巻き付け代の括り作業に較べると作業効率も良いし、品質のばらつきも少ないなど優れているが、次のような問題がある。
【０００７】
第一に、フトン篭の組立に要するコイル分の原材料が増加するため、資材価格を確実に上昇させる点である。
【０００８】
第二に、布設したとき、箱形形状を呈するフトン篭の端部にコイルが露呈するため、隣接篭との間に空隙を発生させる場合がある点である。このような空隙があると、歩行の妨げともなるし、また美観上も好ましくない。
【０００９】
第三に、河川護岸ではフトン篭の端部に露呈するコイルにゴミや流木が引っかかり、施工後における法面の美観を損なう可能性がある点である。
【特許文献１】特開平０５−１７９６２８号
【特許文献２】特開平１１−２９３６４４号
【特許文献３】特開平１１−３１５５２４号
【発明の開示】
【発明が解決しようとする課題】
【００１０】
解決する課題は、作業効率の良さを担保しつつ、コイルを用いることなく側網を胴網に固定する構造を提供することにある。
【課題を解決するための手段】
【００１１】
本発明に係るフトン篭の側網固定構造は、胴網の波状線端部にリングを設ける一方、パネル状に成形した側網の枠線を、胴網端部の波状線交差部と前記リングとの間に挟み込み、当該リングに側網固定用の骨線を挿通する（請求項１）。波状線端部に設けるリングは、波状線の端部をカール加工して成形する場合がある（請求項２）。
【００１２】
本発明に係るフトン篭は、胴網を構成する波状線（金網の線）の端部にリングを設けておき、側網の枠線を、胴網端部の波状線交差部とリングとの間に挟み込む。波状線交差部とリングとの間は、波状線がＸ字状に並んでおり、波状線の端末は解放されているから、側網の枠線を、波状線との関係で上、下、上、下・・という具合に挟み込んでゆくことが出来る。挟み込んだ後、リングに骨線を挿通すれば、波状線の端末は骨線によって閉じられることになり、側網の枠線は波状線の端部に挟み込まれたままの状態で拘束され、固定される。
【００１３】
側網の枠線を綴じ込むためのリングは、波状線の端部に溶接やかしめ等の適宜手段によって取り付けても良いが、波状線端部をカール加工（巻き線加工）することによって低コストで同一結果を実現できる。
【発明の効果】
【００１４】
本発明に係るフトン篭の側網固定構造によれば、端部のリングに骨線を挿通させるだけで側網を固定できるため、作業効率の良好を失うことなく、コイルを用いず側網を胴網に固定することが可能となる。
【発明を実施するための最良の形態】
【００１５】
図１は、本発明に係るフトン篭の胴網１１と側網４０との関係を簡単に例示するものである。胴網１１は、適宜箇所に配した骨線１２、１３を介して、底網１４の部分から前網１５および背網１６を立ち上げ可能に設けてある。
【００１６】
底網１４、前網１５、背網１６は、ひとつの大きな金網で構成されるが、金網の目（波状線の交差部）に骨線１２、１３を挿通させると、骨線１２、１３が一種のヒンジとして機能し、前網１５および背網１６を立ち上げることが出来る。これは従来から行われている公知の技術である。
【００１７】
ひとつの金網を用いて底網１４、前網１５、背網１６を作るため、各パネル面の形状を保持の必要から、底網１４、前網１５、背網１６の左右両端部には、それぞれ左右の枠線１４Ｌ、１４Ｒ、１５Ｌ、１５Ｒ、１６Ｌ、１６Ｒを配するとともに、前網１５と背網１６の上端となる部分に、上の枠線１５Ｐ、１６Ｐを配してある。尚、骨線１２、１３も、底網１４の前後の枠線として機能する。また、前網１５と背網１６の下の枠線として機能する。
【００１８】
本発明における胴網１１は、底網１４、前網１５、背網１６の左右両端部に、金網の波状線を延長させて端末にリング３０を設けてある。このリング３０は、例えば、金網を構成する波状線の端末部分をカール加工することによって成形する。リング３０を設ける位置は、底網１４、前網１５、背網１６の枠線１４Ｌ、１４Ｒ、１５Ｌ、１５Ｒ、１６Ｌ、１６Ｒを超えた外側の部分である。
【００１９】
図２は、胴網１１の金網を構成する波状線Ｎの端末部分を拡大して例示するものである。波状線Ｎは、例えば一本おきに、端末部分をカール加工させたリング３０を備える線と、胴網１１の枠線１４Ｌ、１４Ｒ、１５Ｌ、１５Ｒ、１６Ｌ、１６Ｒを配するためのカール処理部１８を備えている。
【００２０】
図１に戻り、４０は、胴網１１に取り付けるべき左右の側網である。側網４０は、上下左右四本の枠線４０Ｐ（上）、４０Ｄ（下）、４０Ｌ（左）、４０Ｒ（右）を設けて、金網材をパネル化しておく。尚、側網４０は、例えば、図３に示すように、上下の枠線４０Ｐ、４０Ｄに波状線の頂部（端末折曲部）を係止する一方、左右の枠線４０Ｌ、４０Ｒに波状線の端末を巻き付けて成形する。
【００２１】
次に、胴網１１に対して側網４０を固定する際の手順を説明する。
図４は、側網４０を配設する前の胴網１１の左右両端部の状態である。符号５０は、胴網１１の左右の最端に位置する波状線の交差部である。この交差部５０の外側に、前記リング３０が存在し、交差部５０とリング３０との間は、金網の波状線が比較的自由に上下左右に移動できる解放状態にある。尚、符号Ｆで示す一点波線の部分は、いずれかの箇所における胴網１１の枠線（１４Ｌ、１４Ｒ、１５Ｌ、１５Ｒ、１６Ｌ、１６Ｒ）の位置を例示するものである。
【００２２】
図５は、胴網１１の波状線の端末部分に側網４０の枠線Ｍ（４０Ｐ、４０Ｄ、４０Ｌ、４０Ｒ）を配置する状況を例示するものである。この図に示すように、側網４０の枠線Ｍは、胴網１１の交差部５０とリング３０との間の波状線Ｎに対して上下上下・・となるよう挟み込む。
【００２３】
図６は、波状線Ｎの端末にあるリング３０に骨線６０を挿通し、波状線Ｎの端末を閉塞することによって、波状線Ｎに挟み込んだ側網４０の枠線Ｍを拘束する状態を例示するものである。リング３０に骨線６０を挿通させた段階で、側網４０の枠線Ｍは、胴網１１の交差部５０とリング３０との間の波状線Ｎに挟まれた状態で前後方向と上下方向の動きを拘束される。
【００２４】
なお、一本の枠線Ｍだけでみると左右への動きは可能なようにみえるが、側網４０の枠線Ｍは、上下左右の四本（または三本）が同様の状態で固定されるため、側網４０の枠線Ｍは、いずれの方向にも動くことが出来ない。少なくとも側網４０の枠線Ｍのうち、下と左右をこのような方法で拘束すれば、側網４０の動きは確実に拘束できる。枠線Ｍは、好ましくは四本すべてを前記説明のように固定することが好ましい。しかし、フトン篭の上に配する蓋体の形状や取り付け方法は、工事目的、設置個所、フトン篭の容積などによって異なるため、蓋体との関係では必ずしも側網４０の上の枠線４０Ｐを同じ方法で結合できない場合もある。蓋体が特殊な場合は、枠線Ｍの下と左右両側をリング３０によって拘束し、上の枠線４０Ｐは閉じ線などの適宜手段を用いて拘束する。このような事情はコイルを用いた従来のフトン篭においてもおなじであった。
【００２５】
従って、かかる側網４０の固定構造によれば、コイルを使用せずに側網４０を胴網１１に固定することが可能となる。この結果、コイル成形に要する製造コストを確実に低減でき、また隣接するフトン篭同士を隙間なく配置することが可能となり、美観上の問題を改善し、隙間によって惹起される可能性のあった危険を未然に防止することが出来る。またコイルを用いないので、端部に配置するフトン篭は、擁壁などの各種躯体の壁面に隙間なく設置することが可能となり、施工後の見栄えを向上させることが出来る。
【００２６】
本発明に係るフトン篭の側網固定構造は、前記説明のものに限定されない。例えば、側網４０の枠線４０Ｐ（上）、４０Ｄ（下）、４０Ｌ（左）、４０Ｒ（右）の固定方法、つまり側網４０のパネル化の構造は、前記説明のものに限定されない。どのような方法であれ側網４０に少なくとも三本の枠線があれば、当該枠線を胴網端部においてコイルを用いずに固定できるからである。
【００２７】
また、すでに述べたように本発明を適用する側網４０は、少なくとも枠線４０Ｄ（下）・Ｌ（左）・Ｒ（右）があればよく、上の枠線４０Ｐがあることを絶対の条件としない。上蓋の形状や構造によって、側網４０の上の枠線４０Ｐも変更する余地を残す必要性があるからである。
【００２８】
リング３０は、剛性のある金属棒（骨線）を挿通することによって、胴網１１の左右に配する側網２０、３０を固定できればよいから、波状線端部のカール加工に限らず、骨線挿通用のリング材を波状線端部に別途取り付けても良い。
【図面の簡単な説明】
【００２９】
【図１】本発明に係る胴網の構造（原理）を簡略に例示する図である
【図２】本発明に係る金網の波状線の端末を拡大して例示する図である。
【図３】本発明を適用できる側網の構成を例示する図である。
【図４】本発明に係る胴網の左右両端部の原初の状態を例示する図である。
【図５】図４の状態において側網の枠線を挟み込んだ状態を例示する図である。
【図６】図５の状態においてリングに骨線を挿通した状態を例示する図である。
【図７】従来のフトン篭におけるコイル利用の状態を例示する図である。
【符号の説明】
【００３０】
１１  胴網
１２、１３  （胴網の）骨線
１４  （胴網の）底網
１４Ｌ・Ｒ・Ｐ、１５Ｌ・Ｒ、１６Ｌ・Ｒ・Ｐ  （胴網の）枠線
１５  （胴網の）前網
１６  （胴網の）背網
１８  カール処理部
３０  リング
４０Ｐ・Ｄ・Ｌ・Ｒ  （側網の）枠線
５０  （波状線の）交差部
６０  （側網固定用の）骨線
Ｍ   （側網の）枠線
Ｎ  波状線
Ｆ  （胴網の）枠線
【図１】
2005036521.tif 000003
【図２】
2005036521.tif 000004
【図３】
2005036521.tif 000005
【図４】
2005036521.tif 000006
【図５】
2005036521.tif 000007
【図６】
2005036521.tif 000008
【図７】
2005036521.tif 000009